(57)【要約】【課題】電線などの引込み線に無駄が生じるのを未然に防止すべく、電柱から家屋までの距離を正確かつ容易に測定することのできる割出器具を提供する。【解決手段】電柱１から家屋等の建物２へ、電線や電話線などの引込み線３を架設する際に、前記電柱１から建物２までの距離を計測して必要な引込み線３の長さを割出す、絶縁処理を施した器具であって、把持棒部１１の基部に、計測糸１４を巻回すると共に巻取ハンドル１５を備え、かつ前記計測糸１４の引き出し長さを表示する表示メーター１３を具備するリール１２を設け、先端部に、径の異なる複数の筒体１６ａを径の順に嵌挿して伸縮自在に組付けた伸縮筒１６を固定し、最小径の筒体１６ａの先端部に、鉤部１７の基端部を着脱自在に嵌入し、前記計測糸１４を、把持棒部１１に設けた緊張部材１８を介して伸縮筒１６内を通し、前記鉤部１７の基端部に設けたゴム栓部１７ａに、弾性樹脂紐１９を介して連結する。【選択図】　　　図３
0003098533.tif 000002
【実用新案登録請求の範囲】
【請求項１】
電柱（１）から家屋等の建物（２）へ，電線や電話線などの引込み線（３）を架設する際に，前記電柱から建物までの距離を計測して必要な引込み線の長さを割出す，絶縁処理を施した器具であって、把持棒部（１１）の基部に，計測糸（１４）を巻回すると共に巻取ハンドル（１５）を備え，かつ前記計測糸の引き出し長さを表示する表示メーター（１３）を具備するリール（１２）を設け，先端部に，径の異なる複数の筒体（１６ａ）を径の順に嵌挿して伸縮自在に組付けた伸縮筒（１６）を固定し，最小径の筒体の先端部に，鉤部（１７）の基端部を着脱自在に嵌入し、前記計測糸を，把持棒部に設けた緊張部材（１８）を介して伸縮筒内を通し，前記鉤部の基端部に設けたゴム栓部（１７ａ）に，弾性樹脂紐（１９）を介して連結してなる引込線の長さ割出器具。
【考案の詳細な説明】
【０００１】
【考案の属する技術分野】本考案は、電柱から家屋等の建物へ、電線や電話線などの引込み線を架設する際に、その距離を計測して、必要な引込み線の長さを正確かつ容易に割出すことのできる割出器具に関するものである。
【０００２】
【従来の技術】従来、例えば、電柱から家屋へ電線や電話線などのいわゆる引込み線を架設する際には、水平方向の長さを巻尺で測り、上下方向の長さを目測で測り、斜辺即ち引込み線の長さを予測して、必要な長さに切断して行っていた。
【０００３】
【考案が解決しようとする課題】しかし、この従来の手段では、引込み線の必要長さを目測で行うので、必然的に目測寸法より長めに切断し、それを架設した後、余分な部分を再度切断して除去していた。従って、引込み線を必要な長さより余分に使用することになり、多くの無駄が発生していた。
【０００４】
本考案はこうした問題に鑑み創案されたもので、引込み線に無駄が生じるのを未然に防止すべく、電柱から家屋までの距離を正確かつ容易に測定することのできる割出器具を提供することを課題とする。
【０００５】
【課題を解決するための手段】この考案に係る引込線の長さ割出器具１０は、電柱１から家屋等の建物２へ、電線や電話線などの引込み線３を架設する際に、前記電柱１から建物２までの距離を計測して必要な引込み線３の長さを割出す、絶縁処理を施した器具であって、把持棒部１１の基部に、計測糸１４を巻回すると共に巻取ハンドル１５を備え、かつ前記計測糸１４の引き出し長さを表示する表示メーター１３を具備するリール１２を設け、先端部に、径の異なる複数の筒体１６ａを径の順に嵌挿して伸縮自在に組付けた伸縮筒１６を固定し、最小径の筒体１６ａの先端部に、鉤部１７の基端部を着脱自在に嵌入し、前記計測糸１４を、把持棒部１１に設けた緊張部材１８を介して伸縮筒１６内を通し、前記鉤部１７の基端部に設けたゴム栓部１７ａに、弾性樹脂紐１９を介して連結してなるものである。
【０００６】
【考案の実施の形態】本考案に係る引込線の長さ割出器具１０の実施形態を、図１乃至図５に示す。これは、電柱１から一般家屋２へ、電線の引込み線３を架設する際に、当該電柱１から建物２までの直線距離を計測して必要な引込み線３の長さを割出す器具である。
【０００７】
この割出器具１０は、把持棒部１１の基部に、計測糸１４を巻回すると共に巻取ハンドル１５を備え、かつ計測糸１４の引き出し長さを表示する表示メーター１３を具備するリール１２を設けている。また、その先端部には、径の異なる複数本の筒体１６ａを、径の大きさの順に嵌挿して伸縮自在に組付けた伸縮筒１６を固定している。なお、各筒体１６ａの少なくとも後端部外周面は緩やかなテーパー面Ｔとし、伸縮筒１６を伸長した際に、各筒体１６ａが抜け出さないようにしている。また、適当な手段、たとえばテーパー嵌合により抜け出しを確実に防止すると共に伸長状態保持機能を付与している。また、伸長時に最先端に位置する最小径の筒体１６ａの先端部に、鉤部１７の基端部を着脱自在に嵌入している。
【０００８】
そして、計測糸１４を、把持棒部１１に設けた緊張部材１８を介して伸縮筒１６内を通し、鉤部１７の基端部に設けたゴム栓部１７ａに、弾性樹脂紐１９を介して連結している。なお、この計測器具１０は、鉤部１７、計測糸１４あるいは伸縮筒１６などを絶縁材料で形成することによって、絶縁処理を施している。
【０００９】
本実施形態における引込線の割出器具１０の作用について説明する。この割出器具１０を用いて電柱１から家屋２への引込線の長さを割出すには、まず、把持棒部１１を持ち、収縮状態にある伸縮筒１６を伸長し、鉤部１７を電柱１の電線が位置する部分に引っ掛ける（図１参照）。この伸縮筒１６の伸長によって、その分計測糸１４がリール１２から引き出され、その長さが表示メーター１３に表示されるので、その数値を計測の基準値にすることもできるし、また、その数値をゼロに設定して基準値とすることもできる。
【００１０】
なお、鉤部１７を電柱１に引っ掛ける作業において、当該割出器具１０には絶縁処理を施しているので、作業者が誤って感電することがなく、安全に作業を行うことができる。
【００１１】
次に、鉤部１７を電柱１に引っ掛けたまま、計測糸１４をリール１２から引き出しながら伸縮筒１６の先端部を、家屋２の引込み線３を引き込む箇所まで移動させる（図２参照）。このとき、計測糸１４に、引込み線３を引き込んだ状態と同じような弛みを持たせ、この状態で表示メーター１３の数値を読みとる。そして、この数値と先の基準値の差を、必要な引込み線３の長さとする。
【００１２】
なお、緊張部材１８を設けているので、当該緊張部材１８とリール１２との間に位置する計測糸１４は常に緊張状態にあり、よって、計測糸１４がリール１２から無駄に引き出されることがない。
【００１３】
この割出器具１０においては、計測糸１４を、引込み線３が実際に架設される空間部分に架設してその長さを実測するので、必要な引込み線３の長さを正確に割出すことができる。従って、従来のように引込み線３を無駄にすることがない。
【００１４】
計測作業完了後は、巻取ハンドル１５を回して計測糸１４をリール１２に巻取り、電柱１に引っ掛けた鉤部１７を伸縮筒１６の先端部に嵌入する。このとき、計測糸１４と鉤部１７との間に弾性樹脂紐１９を介在させているので、当該弾性樹脂紐１９がガイドのはたらきを行い当該嵌入作業が容易となる。また、鉤部１７の基端部にはゴム栓部１７ａを設けているので、鉤部１７は伸縮筒１６に密着状態で良好に嵌入組付きすることができる。鉤部１７を伸縮筒１６に嵌入組付けした後、当該伸縮筒１６を収縮させて元の状態に戻し、計測作業を完了する。
【００１５】
このように、当該割出器具１０は、伸縮筒１６の伸縮作業、鉤部１７の引掛け作業、伸縮筒１６の先端部を家屋２へ移動させる作業および表示メーター１３の読み取り作業といったきわめて簡単な作業のみで必要な引き出し線の長さを正確に割出すことができるので、当該割出作業をきわめて容易なものとすることができる。
【００１６】
【考案の効果】この考案に係る引込線の長さ割出器具１０は、計測糸１４を、引込み線３が実際に架設される空間部分に架設してその長さを実測するので、必要な引込み線３の長さを正確に割出すことができる。従って、従来のように引込み線３を無駄にすることがない。
【００１７】
また、この割出器具１０は、伸縮筒１６の伸縮作業、鉤部１７の引掛け作業、伸縮筒１６の先端部を家屋へ移動させる作業および表示メーター１３の読み取り作業といったきわめて容易な作業のみで必要な引き出し線の長さを正確に割出すことができる。したがって、割出し作業をきわめて容易に行うことができる。
【００１８】
また、緊張部材１８を設けているので、計測糸１４がリール１２から無駄に引き出されるのを未然に防止し、さらに、弾性樹脂紐１９およびゴム栓部１７ａを設けているので鉤部１７を伸縮筒１６へ容易にかつ密着状態で嵌入することができる。
【図面の簡単な説明】
【図１】本考案の実施形態に係る割出器具の使用状態を示す正面図である（鉤部を引っ掛ける状態）。
【図２】本考案の実施形態に係る割出器具の使用状態を示す正面図である（伸縮筒を移動させた状態）。
【図３】本考案に係る割出器具の実施形態を示す正面図である。
【図４】図３に示す割出器具の一部拡大断面図である（伸縮筒を収縮させた状態）。
【図５】図３に示す割出器具の一部拡大断面図である（伸縮筒を伸長させた状態）。
【符号の説明】
１　　　　電柱
２　　　　建物（家屋）
３　　　　引込み線
１０　　　割出器具
１１　　　把持棒部
１２　　　リール
１３　　　表示メーター
１４　　　計測糸
１５　　　巻取ハンドル
１６　　　伸縮筒
１６ａ　　筒体
１７　　　鉤部
１７ａ　　ゴム栓部
１８　　　緊張部材
１９　　　弾性樹脂紐
Ｔ　　　　テーパー面
【図１】
0003098533.tif 000003
【図２】
0003098533.tif 000004
【図３】
0003098533.tif 000005
【図４】
0003098533.tif 000006
【図５】
0003098533.tif 000007